(57)【要約】【課題】本発明は、壁掛け式の空気清浄機に関し、清浄された空気が渦を巻いて室内空間を循環するようにして、室内空間を均一に清浄することができる壁掛け式の空気清浄機に関する。【解決手段】本発明の一実施例による壁掛け式の空気清浄機は、吸入口が備えられ、両側面に第１及び第２の吐出口が形成され、且つ壁に付着可能な構造で提供された壁掛けハウジングと、吸入口を通じて吸引された空気をフィルタリングする空気清浄フィルターと、壁掛けハウジングに内蔵されて空気を第１の吐出口から吐出させる第１の送風ユニットと、壁掛けハウジングに内蔵されて空気を第２の吐出口から吐出させる第２の送風ユニットと、を含むことが好ましい。【選択図】図２
2013535333.tif 000002
【特許請求の範囲】
【請求項１】
吸入口が備えられ、両側面に第１及び第２の吐出口が形成され、且つ壁に付着可能な構造で提供された壁掛けハウジングと、
前記吸入口を通じて吸引された空気をフィルタリングする空気清浄フィルターと、
前記壁掛けハウジングに内蔵されて空気を前記第１の吐出口から吐出させる第１の送風ユニットと、
前記壁掛けハウジングに内蔵されて空気を前記第２の吐出口から吐出させる第２の送風ユニットと、
を含む、壁掛け式の空気清浄機。
【請求項２】
前記第１の送風ユニットは、第１の送風モータに連結され、空気を吸引及び吐出する第１の送風ファンと、前記第１の送風ファンを取り囲んで前記第１の送風ファンから吐出された清浄空気を前記第１の吐出口に吐出させるように第１の吐出流路を形成する第１のファンケーシングと、を含み、
前記第２の送風ユニットは、前記第１の送風モータと左右方向に位置した第２の送風モータに連結され、空気を吸引及び吐出する第２の送風ファンと、前記第２の送風ファンを取り囲んで前記第２の送風ファンから吐出された清浄空気を前記第２の吐出口に吐出させるように第２の吐出流路を形成する第２のファンケーシングと、を含み、
前記第１及び第２のファンケーシングは、前記第１及び第２の送風ファンから吐出された清浄空気の流動方向をガイドする、請求項１に記載の壁掛け式の空気清浄機。
【請求項３】
前記第１のファンケーシングは前記第１の吐出流路が上部へ傾斜して形成されており、
前記第２のファンケーシングは前記第２の吐出流路が下部へ傾斜して形成されている、請求項２に記載の壁掛け式の空気清浄機。
【請求項４】
前記第１のファンケーシングは、前記第１の送風ユニットを流動する第１の流れに沿う清浄空気が前記第１の吐出流路を経由して前記第１の吐出口から上向きに吐出されるように前記第１の流れをガイドし、
前記第２のファンケーシングは、前記第２の送風ユニットを流動する第２の流れに沿う清浄空気が前記第２の吐出流路を経由して前記第２の吐出口から下向きに吐出されるように前記第２の流れをガイドし、
清浄空気が前記第１及び第２の流れに沿って渦を巻いて室内空間で均一に循環するようにする、請求項３に記載の壁掛け式の空気清浄機。
【請求項５】
前記壁掛けハウジングは、
両側面に前記第１及び第２の吐出口を備えており、壁に付着されるハウジング本体と、
前記吸入口を形成するように前記ハウジング本体と離隔して前記ハウジング本体に結合されたハウジングカバーと、
を含む、請求項１に記載の壁掛け式の空気清浄機。
【請求項６】
前記ハウジング本体には、
前記第１の吐出口から吐出された清浄空気が壁に当たらないように、前記第１の吐出口に隣接する位置で前記ハウジング本体の外面に傾斜して形成された第１の案内板と、
前記第２の吐出口から吐出された清浄空気が壁に当たらないように、前記第２の吐出口に隣接する位置で前記ハウジング本体の外面に傾斜して形成された第２の案内板と、を備えている、請求項５に記載の壁掛け式の空気清浄機。
【発明の詳細な説明】
【技術分野】
【０００１】
本発明は、壁掛け式の空気清浄機に関し、清浄された空気が渦を巻いて室内空間を循環するようにして、室内空間を均一に清浄することができる壁掛け式の空気清浄機に関する。
【背景技術】
【０００２】
空気清浄機は、室内空気の状態を人間の生活に適した状態に維持するための装置である。一般的に、空気清浄機は、一つのモータに連結された一つの送風ファンが室内空気を吸引することにより、空気清浄機の内部に吸引された室内空気が空気清浄フィルターを通過しながらフィルタリングされた後に吐出されるようにしている。
【０００３】
空気清浄機としては、床に置かれるスタンド型空気清浄機と、壁に掛けることができる壁掛け式の空気清浄機とがある。スタンド型空気清浄機は、通常、清浄された空気を上向きに吐出させる構造を有するのに対し、壁掛け式の空気清浄機は、床面から所定の高さ離れているため、清浄された空気を下向きに吐出させる構造を有する。
【０００４】
これにより、空気清浄機は、清浄された空気をいずれか一方向に吐出させるため、狭い場所では、空気を効率的に清浄することができる。しかしながら、教室、講義室又は大型ホールのような広い空間では、清浄された空気を循環させる別途の空気循環装置がないと、室内空間を均一に清浄するのが困難である。
【発明の概要】
【発明が解決しようとする課題】
【０００５】
本発明は、上記のような問題点を解決するために案出されたものであり、清浄された空気が渦を巻くように左側上向き及び右側下向きに、又は右側上向き及び左側下向きに吐出され、室内空間で清浄された空気の循環率を向上させることができるようにする壁掛け式の空気清浄機を提供することを目的とする。
【０００６】
また、本発明は、第１及び第２の吐出口に隣接する位置に第１及び第２の案内板を備えることにより、清浄された空気が壁に当たることなく室内空間に吐出されるようにし、室内空間での清浄空気の循環率を向上させることができる壁掛け式の空気清浄機を提供することを目的とする。
【０００７】
また、本発明は、二つの送風モータ及びこれらにそれぞれ連結された送風ファンを用いることにより、左右両方向に吐出可能な清浄空気の吐出量を調節することができる壁掛け式の空気清浄機を提供することを目的とする。
【課題を解決するための手段】
【０００８】
本発明の一実施例による壁掛け式の空気清浄機は、吸入口が備えられ、両側面に第１及び第２の吐出口が形成され、且つ壁に付着可能な構造で提供された壁掛けハウジングと、吸入口を通じて吸引された空気をフィルタリングする空気清浄フィルターと、壁掛けハウジングに内蔵されて空気を前記第１の吐出口から吐出させる第１の送風ユニットと、壁掛けハウジングに内蔵されて空気を前記第２の吐出口から吐出させる第２の送風ユニットと、を含むことが好ましい。
【０００９】
本発明の一実施例による第１の送風ユニットは、第１の送風モータに連結され、空気を吸引及び吐出する第１の送風ファンと、第１の送風ファンを取り囲んで前記第１の送風ファンから吐出された清浄空気を前記第１の吐出口に吐出させるように第１の吐出流路を形成する第１のファンケーシングと、を含み、
第２の送風ユニットは、第１の送風モータと左右方向に位置した第２の送風モータに連結され、空気を吸引及び吐出する第２の送風ファンと、第２の送風ファンを取り囲んで第２の送風ファンから吐出された清浄空気を第２の吐出口に吐出させるように第２の吐出流路を形成する第２のファンケーシングと、を含み、第１及び第２のファンケーシングは、第１及び第２の送風ファンから吐出された清浄空気の流動方向をガイドすることが好ましい。
【００１０】
本発明の一実施例において、第１のファンケーシングは第１の吐出流路が上部へ傾斜して形成されており、第２のファンケーシングは第２の吐出流路が下部へ傾斜して形成されていることが好ましい。
【００１１】
また、第１のファンケーシングは、第１の送風ユニットを流動する第１の流れに沿う清浄空気が第１の吐出流路を経由して第１の吐出口から上向きに吐出されるように第１の流れをガイドし、第２のファンケーシングは、第２の送風ユニットを流動する第２の流れに沿う清浄空気が第２の吐出流路を経由して第２の吐出口から下向きに吐出されるように第２の流れをガイドし、清浄空気が第１及び第２の流れに沿って渦を巻いて室内空間で均一に循環するようにすることが好ましい。
【００１２】
一方、本発明の一実施例による壁掛けハウジングは、両側面に第１及び第２の吐出口を備えており、壁に付着されるハウジング本体と、吸入口を形成するようにハウジング本体と離隔してハウジング本体に結合されたハウジングカバーと、を含むことが好ましい。
【００１３】
さらに、本発明の一実施例によるハウジング本体には、第１の吐出口から吐出された清浄空気が壁に当たらないように、第１の吐出口に隣接する位置でハウジング本体の外面に傾斜して形成された第１の案内板と、第２の吐出口から吐出された清浄空気が壁に当たらないように、第２の吐出口に隣接する位置で前記ハウジング本体の外面に傾斜して形成された第２の案内板と、を備えていることが好ましい。
【発明の効果】
【００１４】
本発明は、清浄された空気が渦を巻くように左側上向き及び右側下向きに、又は右側上向き及び左側下向きに吐出されることにより、室内空間における清浄された空気の循環率を向上させて清浄効率を増加させることができる。
【００１５】
また、本発明は、第１及び第２の吐出口に隣接する位置に第１及び第２の案内板を備えることにより、清浄された空気が壁に当たることなく室内空間に吐出されるようにして室内空間での清浄空気の循環率を向上させることができる。
【００１６】
また、本発明は、二つの吐出方向に応じて個別に制御可能な二つの送風ユニットを備えることにより、左右両方向に吐出可能な清浄空気の吐出量を調節することができる。これにより、本発明は、消費電力を減少させることができる。
【図面の簡単な説明】
【００１７】
【図１】本発明の一実施例による壁掛け式の空気清浄機の結合斜視図である。
【図２】本発明の一実施例による壁掛け式の空気清浄機の内部状態図である。
【図３】図１のＡ‐Ａ’線に沿う壁掛け式の空気清浄機の断面図である。
【発明を実施するための形態】
【００１８】
以下では、添付の図面を参照して本発明の実施例による壁掛け式の空気清浄機を詳細に説明する。
【００１９】
図１は本発明の一実施例による壁掛け式の空気清浄機の結合斜視図であり、図２は壁掛け式の空気清浄機の内部状態図であり、図３は図１のＡ‐Ａ’線に沿う壁掛け式の空気清浄機の断面図である。
【００２０】
図１から図３に示されているように、本発明の一実施例による壁掛け式の空気清浄機１００は、壁掛けハウジング１１０、壁掛けハウジング１１０に内蔵された第１及び第２の送風ユニット１２０、１３０、及び空気清浄フィルター１４０を含むことが好ましい。
【００２１】
本発明の一実施例による壁掛け式の空気清浄機１００は、壁に掛けられた状態で、室内空気内に含有される汚染物質をフィルタリングした清浄空気を左右両方向に吐出して、室内空間を清浄する装置である。本発明の一実施例による壁掛け式の空気清浄機は、床に存在する大きな埃ではなく、室内空気中の微細な埃を除去するものである。
【００２２】
本発明の一実施例による壁掛けハウジング１１０は、ハウジング本体１１１及びハウジングカバー１１２からなり、ハウジング本体１１１には清浄空気が左右両方向に吐出されるようにハウジング本体の両側面に第１及び第２の吐出口１１３、１１５が形成されており、ハウジング本体１１１にハウジングカバー１１２が結合されて吸入口１１７が形成される。
【００２３】
ここで、本発明の一実施例では、説明の便宜のために、第１の吐出口１１３がハウジング本体１１１の左側に位置し、第２の吐出口１１５がハウジング本体１１１の右側に位置するものとする。
【００２４】
本発明の一実施例において、ハウジング本体１１１は、壁に安定的に設置されて、第１及び第２の吐出口１１３、１１５から吐出される清浄空気をさらに広い空間に循環させるために、左右の幅が上下の幅より大きい長方形の断面を有することが好ましい。
【００２５】
また、ハウジング本体１１１には、第１の吐出口１１３に隣接する位置でハウジング本体１１１の外面に傾斜して形成された第１の案内板１２９を備え、第２の吐出口１１５に隣接する位置でハウジング本体１１１の外面に傾斜して形成された第２の案内板１３９を備えていることが好ましい。
【００２６】
ここで、第１の案内板１２９は、第１の吐出口１１３から吐出された清浄空気が壁に当たることなく室内空間に流動するようにし、第２の案内板１３９は、第２の吐出口１１５から吐出された清浄空気が壁に当たることなく室内空間に流動するようにすることにより、室内空間での清浄空気の循環度を向上させることができるようにするものである。
【００２７】
ハウジングカバー１１２は、ハウジング本体１１１と所定の間隔だけ離隔した状態を維持してハウジング本体１１１に結合され、ハウジングカバー１１２とハウジング本体１１１の間に空気が流入する吸入口１１７を形成するようにすることが好ましい。
【００２８】
これにより、図１に示されているように、第１及び／又は第２の送風ファン１２３、１３３の動作時に、室内空気が矢印方向Ｆに沿って本発明の一実施例による壁掛けハウジング１１０の内部に流入する。
【００２９】
一方、本発明の一実施例による空気清浄フィルター１４０は、ハウジングカバー１１２に隣接するようにハウジング本体１１１に設置される。本発明の一実施例では、説明の便宜のために、空気清浄フィルター１４０を第１の空気清浄フィルター１４１と第２の空気清浄フィルター１４２とに区分して説明する。
【００３０】
ここで、第１の空気清浄フィルター１４１は、第１の送風ユニット１２０に隣接して位置し、第２の空気清浄フィルター１４２は第２の送風ユニット１３０に隣接して位置する。本発明の一実施例による壁掛け式の空気清浄機１００は、送風ユニット毎に個別の空気清浄フィルターを備えることにより、空気清浄フィルターの交替が容易になる。
【００３１】
第１及び第２の空気清浄フィルター１４１、１４２は、第１及び第２の送風ファン１２３、１３３の作動時に外部から吸引された空気中に含まれる汚染物質を、該汚染物質の特性及び粒子のサイズに応じて段階的にろ過することができるように、数層で形成されることが好ましい。
【００３２】
以下では、図２及び図３を参照して、本発明の一実施例による第１の送風ユニット１２０及び第２の送風ユニット１３０について説明する。ここで、本発明の一実施例では、説明の便宜のために、第１の送風ユニット１２０は第１の吐出口１１３と連結されてハウジング本体１１１の左側に位置し、第２の送風ユニット１３０は第２の吐出口１１５と連結されてハウジング本体１１１の右側に位置するものとする。
【００３３】
まず、本発明の一実施例による第１の送風ユニット１２０は、ハウジング本体１１１の内面に固定された第１の送風モータ１２１と、第１の送風モータ１２１の回転軸に連結された第１の送風ファン１２３と、及び第１の送風ファン１２３を取り囲むようにハウジング本体１１１に固定された第１のファンケーシング１２５とを含むことが好ましい。
【００３４】
ここで、第１の送風ファン１２３は、第１の送風モータ１２１の動作時に一緒に回転して、外部空気をハウジング本体１１１の内部に吸引した後に吐出するファンである。この際、第１の送風ファン１２３を経由する空気は、空気清浄フィルター１４０によって外部空気に含まれる汚染物質がフィルタリングされた状態の清浄空気である。
【００３５】
本発明の一実施例による第１のファンケーシング１２５は、第１の送風ファン１２３から吐出された清浄空気が流動するように、第１の送風ファン１２３と所定の間隔だけ離隔した状態で第１の送風ファン１２３を取り囲む構造で、ハウジング本体１１１に結合されることが好ましい。第１のファンケーシング１２５は、第１の送風ファン１２３から吐出された清浄空気の流れをガイドする部材である。
【００３６】
本発明の一実施例において、第１のファンケーシング１２５は、第１の送風ファン１２３から吐出された清浄空気が第１の吐出口１１３に吐出されるように第１の吐出流路１２７を形成することにより、第１の吐出流路１２７を通じて清浄空気が所定の方向を維持した状態で第１の吐出口１１３に吐出されるようにすることが好ましい。
【００３７】
また、本発明の一実施例による第１のファンケーシング１２５は、第１の吐出流路１２７が上部へ傾斜して形成されており、第１の送風ファン１２３から吐出された清浄空気がハウジング本体１１１の左側から室内空間に上向きに吐出されるようにすることが好ましい。
【００３８】
一方、本発明の一実施例において、第１の送風ユニット１２０を通過した清浄空気の流れ（以下、「第１の流れＦ１」という）と第２の送風ユニット１３０を通過した清浄空気の流れ（以下、「第２の流れＦ２」という）が室内空間に吐出されて渦を巻くように、第１の送風ユニット１２０と左側又は右側に並んでハウジング本体１１１に固定されることが好ましい。
【００３９】
本発明の一実施例による第２の送風ユニット１３０は、第２の送風モータ１３１と、第２の送風ファン１３３と、及び第２のファンケーシング１３５とを含むことが好ましい。本発明の一実施例において、第２の送風モータ１３１は、第１の送風モータ１２１と左右方向に並んでハウジング本体１１１に固定されることが好ましい。
【００４０】
第２の送風モータ１３１の回転軸には第２の送風ファン１３３が連結されており、第２の送風ファン１３３は第２の送風モータ１３１の動作時に一緒に回転して、外部空気をハウジング本体１１１の内部に吸引することが好ましい。
【００４１】
本発明の一実施例において、第２のファンケーシング１３５は、第２の送風ファン１３３から吐出された清浄空気が流動するように、第２の送風ファン１３３の外面から所定の間隔だけ離隔した状態で第２の送風ファン１３３を取り囲む構造でハウジング本体１１１に結合されることが好ましい。第１のファンケーシング１２５は、第１の送風ファン１２３から吐出された清浄空気の流れをガイドする部材である。
【００４２】
本発明の一実施例において、第１のファンケーシング１２５は、第１の送風ファン１２３から吐出された清浄空気が第１の吐出口１１３に吐出されるように、第１の吐出流路１２７を形成することにより、第１の吐出流路１２７を通じて清浄空気が所定の方向を維持した状態で第１の吐出口１１３に吐出されるようにすることが好ましい。
【００４３】
但し、本発明の一実施例による第２のファンケーシング１３５は、第１のファンケーシング１２５とは反対方向に清浄空気を吐出させるように、第２の吐出流路１３７を下部へ傾斜して形成することにより、第２の送風ファン１３３から吐出された清浄空気がハウジング本体１１１の右側から室内空間に下向きに吐出されるようにすることが好ましい。
【００４４】
一方、第２のファンケーシング１３５の構造は、第１のファンケーシング１２５の構造に応じて可変可能である。例えば、第１のファンケーシング１２５の第１の吐出流路１２７が下部へ傾斜して形成された場合は、第２のファンケーシング１３５の第２の吐出流路１３７は上部へ傾斜して形成されることが好ましい。
【００４５】
以下では、本発明の一実施例による壁掛け式の空気清浄機１００の作動時の空気の流れについて説明する。本発明の一実施例による第１の送風ユニット１２０と第２の送風ユニット１３０は、同時に作動することもでき、これらのうちいずれか一つのみが選択的に作動することもできる。
【００４６】
また、本発明の一実施例による壁掛け式の空気清浄機１００は、第１の送風モータ１２１の回転数と第２の送風モータ１３１の回転数を異ならせて、又は、同一に調整することができる。
【００４７】
但し、本発明の一実施例では、説明の便宜のために、第１の送風ユニット１２０と第２の送風ユニット１３０が同時に作動する場合について説明する。
【００４８】
第１の送風モータ１２１と第２の送風モータ１３１がそれぞれ作動しはじめると、第１の送風モータ１２１に連結された第１の送風ファン１２３と第２の送風モータ１３１に連結された第２の送風ファン１３３も回転する。
【００４９】
第１及び第２の送風ファン１２３、１３３が回転しはじめると、室内空間に存在する空気が吸入口１１７を通じてハウジング本体１１１に入り、空気清浄フィルター１４０を通過しながらフィルタリングされて、第１の送風ユニット１２０と第２の送風ユニット１３０とに流入する。
【００５０】
第１の送風ユニット１２０に入った清浄空気は、第１の流れＦ１に沿って第１の吐出流路１２７を経て左側上向きに第１の吐出口１１３から吐出される。第１の流れＦ１に沿う清浄空気は、第１の吐出口１１３に隣接して形成された第１の案内板１２９によって壁側に吐出されずに室内空間に向かって吐出される。
【００５１】
第２の送風ユニット１３０に入った清浄空気は、第２の流れＦ２に沿って第２の吐出流路１３７を経て右側下向きに第２の吐出口１１５から吐出される。第２の流れＦ２に沿う清浄空気は、第２の吐出口１１５に隣接して形成された第２の案内板１３９によって壁側に吐出されずに室内空間に向かって吐出される。
【００５２】
第１の流れＦ１と第２の流れＦ２は、第１の送風ユニット１２０と第２の送風ユニット１３０で同時に発生し、これにより、第１の吐出口１１３から室内空間に吐出された第１の流れＦ１と第２の吐出口１１５から室内空間に吐出された第２の流れＦ２とが渦を巻く。
【００５３】
上述したように、本発明の一実施例による壁掛け式の空気清浄機１００は、従来の空気清浄機とは異なり、いずれか一方向からのみ清浄空気を吐出させるのではなく、両方向から清浄空気を吐出させることにより、デッドスペース（ｄｅａｄ  ｓｐａｃｅ）なしに清浄空気を室内空間に均一に循環させて清浄効率を増大させることができる。
【００５４】
また、本発明の一実施例による壁掛け式の空気清浄機１００は、清浄空気の吐出方向に応じて個別に制御される送風ユニットを備えることにより、両方向に吐出される清浄空気の吐出量を調節することができる上、一つの送風ユニットが故障した場合は他の送風ユニットを作動させることができるため、二つの送風ユニットの両方ともが故障しない限り、室内空気を清浄することができる。
【００５５】
また、本発明の一実施例による壁掛け式の空気清浄機１００は、第１及び第２の吐出流路１２７、１３７を傾斜して形成することにより、第１の吐出流路１２７を通過した第１の流れＦ１と第２の吐出流路１３７を通過した第２の流れＦ２とが混じって渦を巻き、第１及び第２の案内板１２９、１３９によって吐出された清浄空気が壁に当たることなく直に室内空間に吐出されるようにする。
【００５６】
本発明の一実施例による壁掛け式の空気清浄機１００は、第１及び第２の吐出流路１２７、１３７の形状及び第１及び第２の案内板１２９、１３９によって、吐出された清浄空気が室内空間でとどまることなく活発に循環するようにし、室内空間を効率的に清浄することができる。これに関する実験例を下記に説明する。
【００５７】
【表１】
2013535333.tif 000003
【００５８】
実験例１は、第１及び第２の吐出流路１２７、１３７の傾斜角度のみを変更して空気清浄機の清浄効率を実験した実験例である。実験例１において、第１及び第２の案内板１２９、１３９は、ハウジング本体１１１に適用されない状態である。
【００５９】
実験例１において、第１の吐出流路１２７の傾斜角度はハウジング本体１１１の下端面に対して傾斜した角度であり、第２の吐出流路１３７の傾斜角度はハウジング本体１１１の上端面に対して傾斜した角度である。
【００６０】
上記の表１に示されている通り、実験例１のように、第１及び第２の吐出流路１２７、１３７の傾斜角度が０度のときの空気清浄機の清浄効率を１００％としたとき、室内空間の清浄効率は、第１及び第２の吐出流路１２７、１３７の傾斜角度が１６度の場合が、０度の場合より５％向上したことが分かる。
【００６１】
一方、実験例２は、第１及び第２の案内板１２９、１３９の傾斜角度のみを変更して空気清浄機の清浄効率を実験した実験例である。実験例２において、第１及び第２の吐出流路１２７、１３７の傾斜角度は０度である。
【００６２】
実験例２において、第１及び第２の案内板１２９、１３９の傾斜角度は、ハウジング本体１１１の内側面を基準に傾斜した角度である。
【００６３】
実験例２において、第１及び第２の案内板１２９、１３９の傾斜角度が０度のときの空気清浄機の清浄効率を１００％としたとき、室内空間の清浄効率は、第１及び第２の案内板１２９、１３９の傾斜角度が２０度の場合が０度の場合より１２％向上したことが分かる。
【００６４】
最後に、実験例３は、第１及び第２の吐出流路１２７、１３７の傾斜角度が１６度、第１及び第２の案内板１２９、１３９の傾斜角度が２０度のときの空気清浄機の清浄効率を実験した実験例である。
【００６５】
実験例３のように、空気清浄機の第１及び第２の吐出流路１２７、１３７の傾斜角度を１６度とし、第１及び第２の案内板１２９、１３９の傾斜角度を２０度とした場合の室内空間の清浄効率は、第１及び第２の吐出流路１２７、１３７の傾斜角度及び第１及び第２の案内板１２９、１３９の傾斜角度が０度の場合より１２％向上したことが分かる。
【００６６】
これにより、上記の実験例１〜実験例３から、第１及び第２の吐出流路１２７、１３７が傾斜し、空気が外部に吐出される第１及び第２の吐出流路１２７、１３７に傾斜した形状を有する第１及び第２の案内板１２９、１３９が備えられることにより、空気清浄機の清浄効率が向上することが分かる。
【００６７】
また、本発明の一実施例による壁掛け式の空気清浄機１００は、清浄空気を両方向に吐出させることにより、同一の風量を提供するスタンド型空気清浄機に比べて低い風速で清浄空気を全体的に循環させるので、消費者に強風が直接当たらないようにして消費者の満足度を向上させることができる。
【００６８】
また、本発明の一実施例による壁掛け式の空気清浄機１００は、壁に付着されているため、空間活用度が高く、子供のいたずら等による故障及び誤作動を防止することができる。
【００６９】
上述した実施例は制限的なものではなく、本発明の全観点内で説明されるように意図されたものである。したがって、本発明は、本技術分野の当業者によって本明細書内に含まれた説明から得られる多くの変形及び詳細な実行が可能である。このようなすべての変形及び変更は、特許請求の範囲によって限定されているように、本発明の範囲及び思想内にある。
【図１】
2013535333.tif 000004
【図２】
2013535333.tif 000005
【図３】
2013535333.tif 000006
【国際調査報告】
2013535333.tif 000007
2013535333.tif 000008
2013535333.tif 000009
2013535333.tif 000010